(57)【要約】  本発明は、ラップトップ装置及び他のポータブル電子装置に電力を供給し充電するために使用されるワイヤレス電力供給システムを提供する。一つの実施例において、電力供給システムは、アップライト又はリクラインに朕ラップトップクレードルを有している。前記クレードルはJの形状を取ることができる。また、前記クレードルは、クレードルに規定されるチャネルを持つワイヤレス電力供給回路を収容することができる。前記クレードルは複数の１次側を有し、電力を複数の装置に供給することができ、及び/又は、クレードルの上又は中で装置の配置を自由にすることができる。本発明は、ハンドヘルド装置に電力を供給するハンドヘルドクレードルを提供することができる。前記ハンドヘルド装置は切り離された、スタンドアロンの電力供給ステーションであることができる。それらはラップトップクレードルから電力を供給されることができる。別の実施例において、電力供給ステーションは高さ調節可能なデスクトップ台に組み込むことができる。更に、別の実施例において、電力供給ステーションはフレキシブルですくマットに組み込むことができる。電力供給ステーションは、電力ブロックを整列させるために一又は複数の磁石を持つ電力ブロックに組み込むことができる。別の実施例において、電力供給ステーションはバッグアイテムに直接組み込まれる。【選択図】図６
2011501938.tif 000002
【特許請求の範囲】
【請求項１】
取り外し可能な遠隔装置に電力を誘導結合で送るための１のワイヤレス電力供給システムであって、
電磁界を生成するための１の誘導性電力供給装置と；
第１電力移送面の上で前記遠隔装置を第１の方向に支持するための第１位置、及び、第２電力移送面の上で前記遠隔装置を第２の方向に支持するための第２位置との間で移動できる１のクレードル（前記電力移送面の各々は前記電磁界において前記遠隔装置を支持するものである）と、
前記クレードルの上又は内部に配置された１の１次側（該１次側は前記誘導性電力供給装置に動作可能に接続され、前記電磁界を生成し、前記第１の方向又は前記第２の方向に配置されたときに、前記１次側は前記遠隔装置と誘導結合するように配置されている）；
と有するワイヤレス電力供給システム。
【請求項２】
前記クレードルは一般的にＪの形状である請求項１に記載のワイヤレス電力供給システム。
【請求項３】
前記クレードルは遠隔装置を受け入れる十分な幅を持つチャネルを規定する請求項２に記載のワイヤレス電力供給システム。
【請求項４】
前記チャネルは遠隔装置の幅に対応し、前記遠隔装置は前記チャネル内に密接して受け入れられる請求項３に記載のワイヤレス電力供給システム。
【請求項５】
前記クレードルは、前記チャネル内に配置される誘導性電力供給装置を有する請求項３に記載のワイヤレス電力供給システム。
【請求項６】
前記クレードルは第１の壁と第２の壁（前記第１の壁から離間している）を有し、前記第１の壁は実質的に前記第２の壁より長く、前記１次側は前記第１壁の中又は上に配置される請求項２のワイヤレス電力供給システム。
【請求項７】
前記第１の電力移送面は、前記クレードルが前記第１の方向にあるときに、遠隔装置を実質的にリクラインした位置で支持し
前記第２の電力移送面は前記クレードルが前記第２の方向にあるときに、遠隔装置を実質的にアップライトの位置で支持する、
請求項１に記載のワイヤレス電力供給システム。
【請求項８】
前記クレードルは移動可能な脚を持つ請求項７に記載のワイヤレス電力供給システム。
但し、前記脚は、前記クレードルを前記アップライト位置で支持する一つの開いた位置と、前記クレードルを前記リクラインの位置で支持する一つの閉じた位置との間で移動可能である。
【請求項９】
前記チャネルが、第１遠隔装置を受け入れる第１領域を定義し、第２遠隔装置を受け入れる第２領域を定義するように十分な長さを持ち、前記クレードルは、前記第１領域に隣接して配置される第１の１次側を持ち、第１電磁場を生成し、前記第１遠隔装置に電力を供給し、また、前記クレードルは前記第２領域に隣接して配置される２次側を持ち、第２電磁場を生成し、前記第２遠隔装置に電力を供給する、請求項３に記載のワイヤレス電力供給システム。
【請求項１０】
前記システムは複数のクレードルを有し、前記各クレードルは、電磁場を生成する少なくとも１の１次側を持ち、前記クレードルに配置される伝各装置に電力を送り、前記クレードルの少なくとも１は、前記別のクレードルから電力を受け取る請求項１のワイヤレス電力供給システム。
【請求項１１】
請求項１に記載のワイヤレス電力供給システムであって、
前記ワイヤレス電力供給システムは、更に、第２番目の１次側を有し、
前記第１の１次側とは異なる位置のクレードルの上に、又は、の中に配置され、
前記第２の１次側は前記誘導性電力供給装置に動作可能に接続され、第２電磁界を生成する、ワイヤレス電力供給システム。
但し、前記第１の１次側と前記第２番目の１次側は、前記システムに対し、一つの遠隔装置より多くの装置に電力を供給し、複数の遠隔装置の配置に自由度を与えることができる。
【請求項１２】
１又は複数の取り外し可能な遠隔装置に電力を誘導結合で送るためのワイヤレス電力供給システムであって、
１の電磁界を生成する誘導性電力供給装置と；
第１電力移送面の上で前記遠隔装置を第１の方向に支持するための第１位置、及び、第２電力移送面の上で前記遠隔装置を第２の方向に支持するための第２位置との間で移動できる１のクレードル（前記電力移送面の各々は前記電磁界において前記遠隔装置を支持するものである）と、
前記クレードルの上又は内部に配置された複数の１次側（該複数の１次側は前記誘導性電力供給装置に動作可能に接続され、前記電磁界を生成し、前記第１の方向又は前記第２の方向に配置されたときに、前記複数の１次側は集合的に前記多相電磁場を生成するよう、前記遠隔装置と誘導結合するように配置されている）；
と有するワイヤレス電力供給システム。
【請求項１３】
前記複数の１次側は１つの軸のまわりに対照的に配置され、前記遠隔装置は少なくとも２つの異なる方向において、前記１次側と誘導的に接合する請求項１２に記載のワイヤレス電力供給システム。
【請求項１４】
１の遠隔装置に電力を誘導結合で送るためのワイヤレス電力供給システムであって、
１の誘導性電力供給装置と；
１の電磁場を生成するための１次側と（但し；前記１の電磁場は前記誘導性電力供給装置と動作可能に接続されている）；
１の遠隔装置が取り外し可能に配置される１の電力輸送マットと（但し、前記１次側は前記基板の上、又は、の中に配置され、フレキシブルであって、前記電力輸送装置は使用されないとき巻き取ることができる）、
を有するワイヤレス電力供給システム。
【請求項１５】
請求項１４に記載のワイヤレス電力供給システムであって、
前記誘導性電力供給装置を有するハウジングを有するワイヤレス電力供給システム。
但し、前記ハウジングは前記１次側から分離して、１の電気コードにより電気的に接続されている。
【請求項１６】
１の電気プラグと１のハウジングとを更に有するワイヤレス電力供給システム。
但し、前記ハウジングは前記誘導性電力供給装置を有し、前記プラグから分離して、１の電気コードにより電気的に接続されており、前記１次側から分離して、１の電気コードにより電気的に接続されている。
【請求項１７】
１の遠隔装置に電力を誘導結合で送るためのワイヤレス電力供給システムであって、
１の誘導性電力供給装置と；
１の１次側を有する充電ヘッドと（前記１次側は前記誘導性電力供給装置と動作可能に接続しており、電磁場を生成するものであって、前記充電ヘッドは少なくとも１の磁石を有し、前記充電ヘッドと前記遠隔装置との間を適切に結合するように選ばれる位置に、前記充電ヘッドを前記遠隔装置に時期的に固定する）と；を有するワイヤレス電力供給システム。
【請求項１８】
前記誘導性電力供給装置は前記充電ヘッドの中に配置される請求項１７に記載のワイヤレス電力供給システム。
【請求項１９】
前記充電ヘッドは少なくとも２つの磁石をもつ請求項１８に記載のワイヤレス電力供給システム。但し、前記磁石は前記１次側の対向する両端に配置される。
【請求項２０】
１の誘導性電力供給装置と、１の１次側を有する充電ヘッドと、前記充電ヘッドを前記コンピュータに結合するための磁気ロケータと、を有するワイヤレス電力供給システムを有するポータブルコンピュータ。
但し、前記１次側は前記誘導性電力供給装置と動作可能に接続して、電磁場を生成するものであって、
前記ポータブルコンピュータは前記１次側と誘導結合する２次側を有するものであり、
前記ロケータは、前記２次側と前記１次側とを十分に整列させ、効率的な誘導性結合を達成するものである。
【請求項２１】
前記磁気ロケータは、前記充電ヘッドの中又は上に、及び、前記ポータブルコンピュータの中又は上に配置される、少なくとも２の磁石を有する請求項２０に記載されたワイヤレス電力供給システム。
【請求項２２】
１の遠隔装置を運び、電力を供給するためのバッグのアイテムであって、
前記遠隔装置を受け入れるような形状を持つ仕切り室と；
バッグの内部に収容された１の誘導性電力供給装置と（前記誘導性電力供給装置は電力線を有し、前記電力線はバッグから延びている）；
バックのアイテム内部において前記仕切り室の隣の位置に配置される１次側（前記１次側は前記誘導電力供給装置に動作可能に接続されて、前記誘導性電力供給装置から受け取る電力に応じて電磁場を生成する）；
を有するバッグ。
【請求項２３】
前記電力コードは巻き取り可能なコードとして規定されている請求項２２に記載のバッグのアイテム。
【請求項２４】
複数の仕切り室を有する請求項２２に記載のバッグアイテム。
但し、前記１次側は前記複数の仕切り室に沿って延び、十分な大きさの電磁場を生成し、前記いずれの（複数）仕切り室に配置される(複数)遠隔装置に電力を供給する。
【請求項２５】
複数の仕切り室を有する請求項２２に記載のバッグアイテム。
但し、前記複数の１次側は前記（複数）仕切り室の１と唯一の組を作り、前記（複数）仕切り室の各々は電磁場を生成し、前記組になった仕切り室の中に配置される１の遠隔装置に電力を供給する。
【請求項２６】
１の２次側を持つポータブルコンピュータのためのデスクトップ電力供給ステーションであって、
ポータブルコンピュータを受け入れる１の支持面と；
前記支持面にヒンジで結合する１の脚と（前記脚は選択的に可動であって、前記支持面の傾斜を変えることができ、ポータブルコンピュータは前記支持面の上で支持されており）；
前記支持面の上または中に設けられる１の１次側と；
１の誘導性電力供給装置と（前記誘導性電力供給装置は前記１次側と動作可能に接続されており、前記１次側は選択的に電磁場を生成し、前記ポータブルコンピュータの２次側に電力を送る）；
を有するデスクトップ電力供給ステーション。
【請求項２７】
前記支持面の下側から延びるハウジングを有する請求項２６に記載のデスクトップ電力供給ステーション。
但し、前記誘導性電力供給装置は前記ハウジング内部に配置される。
【発明の詳細な説明】
【技術分野】
【０００１】
本発明は、ワイヤレス電力供給システムに関する。特に、ラップトップ及び携帯電子装置用誘導電力供給装置に関する。
【背景技術】
【０００２】
ＰＤＡ、携帯電話、スマートフォン及び携帯メディアプレーヤ等のラップトップ及び携帯電子装置の使用は大きな成長を遂げている。ワイヤレス通信用電子装置のために多様な標準が作成されてきたが、これら装置の電源は有線により供給されてきた。具体的には、各電子装置には電源供給コードが必要である。必要があるごとに、これらコードを使用し、貯え、運ぶ負担があった。コードは、見えないところで混乱を起こし、装置移動を行うに当たって、明らかな障害であった。従来のハードワイアッドのラップトップの解決方法を図１に示す。
【先行技術文献】
【特許文献】
【０００３】
【特許文献１】米国特許6,436,229（Baarman et al）
【特許文献２】米国特許 6,825,620 （Kuennen et al）
【特許文献３】米国特許7,212,414（Baarman）
【特許文献４】米国特許公開 2004/0150934（Baarman）
【特許文献５】米国特許公開 2004/0130915（Baarman）
【特許文献６】米国特許公開2007/0042729（Baarman et al
【特許文献７】米国仮出願番号60/883,127（Baarman）
【特許文献８】米国特許仮出願番号 60/883,125（Baarman）
【特許文献９】米国特許仮出願番号60/976,137
【発明の概要】
【発明が解決しようとする課題】
【０００４】
種々の入力装置と出力装置（例えば、マウス、キーボード、プリンタ、モニター、ネットワーク、電源等）が従来のコードを使うラップトップに接続されている。データ通信と電源を提供する種々のコードは、混乱を招くばかりか、装置を移動する際の障害であった。
【課題を解決するための手段】
【０００５】
本発明の要約
本発明は種々のワイヤレス電力供給システムを提供する。それは第１に、ラップトップ及び他の移動可能な装置に電力を供給し、充電するように設計されている。一つの実施例では、電力供給システムはアップライト又はリクラインの一で使用できるラップトップクレードル（cradle）を有している。このクレードルは一般的には、Ｊ形状で、クレードルで決められたチャネルを持つワイヤレス電力供給回路を収容することができる。
【０００６】
一つの実施例では、前記クレードルは、開閉することのできる脚を有し、クレードルをアップライト位置に支持することができる。クレードルがリクライン位置になると、脚が仕舞われる。
【０００７】
一つの実施例では、前記クレードルは、複数の装置に電力を供給する及び/又はクレードルの上又は中における装置の配置におけるフレキシビィテイを持たせる能力を持つように構成された複数の１次側（プライマリコイル等）を有している。
【０００８】
一つの実施例では、前記クレードルは、ラップトップバッグ内に置かれ、バッグのなかで、装置がチャージされる。該バッグは巻き取り可能なコードを具備することができる。
【０００９】
一つの実施例では、本発明は、ハンドヘルド装置に電力を供給する大きさのハンドヘルドcradleを含む。このハンドヘルドクレードルは切り離し可能で、スタンドアローン電力供給ステーションであってよい。又はラップトップクレードルから電力を受け取ることができる。
【００１０】
別の実施例では、前記電力供給ステーションが高さ調整可能なデスクトップ台に組み込むことができる。
【００１１】
別の実施例では、前記電力供給ステーションはデスクトップパネルに組み込むことができる。前記パネルはラップトップ、追加的ハンドヘルド装置に電力を供給するように構成してもよい。所望するなら、前記パネルは別の複数装置のために種々の電力領域を設けてもよい。
【００１２】
更に、別の実施例では、電力供給ステーションはフレキシブル デスクトップ マットに組み込むことができる。この実施例では、電力供給回路は剛直なハウジングに設けることができ、前記マットは記憶用の剛直なハウジングの周りに包み込みされることができる。
【００１３】
更なる実施例において、電力供給ステーションは電源ブロックに組み込むことができる。該電源ブロックはラップトップに設けられる２次側に隣接して配置してもよい。該電源ブロックとラップトップは、電源ブロックをラップトップ上で整列させるマグネットを有してもよい。
【００１４】
別の実施例では、電力供給ステーションはトランクのアイテムに直接組み込まれる。この実施例では、電力供給回路をトランクに収納することができる。１又は複数の１次側（例えば、１次コイル）がトランクの中に収容され、中にある装置を充電することができる。別の実施例では、１次コイルが複数のポケットの周辺に設けられ、これらポケットに設けられた装置に電力を供給する。
【００１５】
本発明は、可搬型電子装置に電力を供給及び/又は充電することができる、多様な有用な便利な電力供給ステーションを提供する。本発明の、これら及び他の対象、利点、特徴は、この実施例の詳細な説明と図面を参照して、容易に理解し評価することができる。
【図面の簡単な説明】
【００１６】
【図１】従来のハードワイアッド ラップトップ ソルーションを示す。
【００１７】
【図２】ワイヤレス電力供給装置を組み込んだワイヤレスラップトップソルーションを示す。
【００１８】
【図３】アップライト位置のクレードルを示す電力供給ステーションを示す。
【００１９】
【図４】リクライン位置でのクレードルを表す電力供給ステーションを示す。
【００２０】
【図５】クレードルの中のラップトップ装置を示す。
【００２１】
【図６】電力供給装置とラップトップ装置との展開図である。
【００２２】
【図７】電力響空ステーションとラップトップ装置の斜視図である。
【００２３】
【図８】３相コイルを持つクレードルとラップトップ装置の種々の図である。
【００２４】
【図９】別の３相コイルを持つ種々のクレードルを示す。
【００２５】
【図１０】ハンドヘルド装置とラップトップ装置を示す３相クレードル、及び、ラップトップバッグに組み込まれるクレードルを示す。
【００２６】
【図１１】ラップトップバッグに組み込まれるクレードルを示す。
【００２７】
【図１２】ラップトップバッグの内部を示す。
【００２８】
【図１３】種々の方向、種々の組合せのハンドヘルドクレードルを示す。
【００２９】
【図１４】ハンドヘルドクレードルとハンドヘルド装置におけるコイル組を示す。
【００３０】
【図１５】ラップトップクレードルに接続する、種々のハンドヘルドクレードルを示す。
【００３１】
【図１６】本発明に基づく電力供給ステーションを示す。
【００３２】
【図１７】高さ調整可能なデスクトップ台を示す。
【００３３】
【図１８】デスクトップパネルを示す。
【００３４】
【図１９】別の複数のデスクトップパネルを示す。
【００３５】
【図２０】第２の別のデスクトップパネルを示す。
【００３６】
【図２１】図２０の別のデスクトップパネルの上のラップトップ装置及びハンドヘルド装置を示す。
【００３７】
【図２２】フレキシブルデスクトップマットの上に設けられたラップトップ装置を示す。
【００３８】
【図２３】電力供給回路ハウジングの周りにマットラップを持つ図２２のフレキシブルデスクトップマットを示す。
【００３９】
【図２４】ワイヤレス電力ブロックと従来技術の有線の電力ブロックを示す。
【００４０】
【図２５】ラップトップ装置に隣接して配置した電力ブロックを示す。
【００４１】
【図２６】ラップトップに対して配置された電力ブロックを示す。
【００４２】
【図２７】種々のタイプのバッグに組み込まれた種々の電力供給ステーションを示す。
【００４３】
【図２８】追加タイプのバッグに組み込まれた電力供給ステーションを示す。
【００４４】
【図２９】本発明に基づく種々の別の電力供給ステーションを示す。
【発明を実施するための形態】
【００４５】
種々の実施例について
本発明はインダクティブカップリングを使う電子装置にワイヤレスによる電力供給に関する。本発明により供給される電力は、前記電子装置に電力を供給する、及び/又は、前記装置の内部バッテリーを充電することができる。図２は、ラップトップ ソリューションを表すもので、種々のデータ通信及び電力供給がワイヤレスで達成される。この例では、ブルーツース（登録商標）技術を使ってマウス、キーボード及びモニターがワイヤレスでラップトップ装置に接続されている。また、ネットワーク、プリンタがＷｉＦｉ技術を使って接続されている。これらワイヤレスデータ技術のいずれの技術もラップトップ装置にワイヤレスで電力を供給するための解決策を示すものではない。ｅCoupled（登録商標）技術を使い、インダクティブ カップリングを使ってラップトップ装置に電力を供給することができる。
【００４６】
本発明の種々の実施例は、本質的に、如何なるインダクティブ電力供給回路を含むことができる。しかし、実施例に示すように、本発明はｅCoupled（登録商標）インダクティブ電力供給技術（Fulton Innovations of Ada, Michiganの）を含む。１の実施例において、本発明は、電力供給を受ける装置（１又は複数）のニーズに基づいてインダクティブ カップリングにより電力量を変更できる適応可能なインダクティブ電力供給システムを含む。該適応可能なインダクティブ電力供給システムは、操作開始において正確な大きさで電力を電子装置に供給し、常に電力供給回路をモニターし、所望のリアルタイムの調整を行う能力をもつことができる。該技術により、電力供給回路は遠隔装置の必要電力における変化に適応することができる。例えば、電力供給回路は特性（例えば、周波数、デューティサイクル、電力の大きさ）を調整し、種々の装置（種々の装置の組合せを含め）を収容し、１次コイルと二次コイルとの間の誤整列（misalignment）を調整することができる。米国特許6436229（Baarman et al）、米国特許 6,825,620 （Kuennen et al）、米国特許7,212,414（Baarman）、米国特許公開 2004/0150934（Baarman）  及び米国特許公開 2004/0130915（Baarman）を引用し、これらはこの引用によりこの明細書に組み込まれる。本発明は電力供給システムを含む。この発明は遠隔装置を識別することができ、電力供給システムから電力を受ける認証を与えるものである。
米国特許公開2007/0042729（Baarman et al）、米国仮出願番号60/883,127（Baarman）、及び米国特許仮出願番号 60/883,125（Baarman）が本書に組み込まれる。この技術は、電力供給システムが自身を調整し、広範囲の装置（かなり電力要求事項が異なる装置でさえも）を最大効率で動作することができるようにするものである。必要とされるものではないが、前記ｅCoupled（登録商標）技術を使うと、自由に設計ができ、システムが複数の装置に電力を供給することができる。本発明は多相インダクティブ電力供給（例えば、３相誘導電力供給）を含む。多相インダクティブ電力供給システムは効率を改善し、コストを削減し、電力供給システムが生成する熱を削減することができる。米国特許仮出願番号60/976,137 （名称"Multiphase Inductive Power Supply System,"2007年9月28日出願,Baarman）を引用し、この引用により、前記出願明細書の記載が、この明細書に組み込まれる。
【００４７】
集積電力供給回路を持つインダクティブ電力供給ステーション10が図3-14に示される。この電力供給ステーションは縦方向及び水平方向で使用するように設計されている。ラップトップバッテリー（図示しない）が充電されている間に（図３を参照）、縦方向位置で、電力供給ステーション10はラップトップ装置Lをサポートする。縦方向位置で、電力供給ステーション10は、CPUスタンドのように振舞うことができ、デスクトップをクリーンにでき、ラップトップポートおよびCD/DVDプレーヤーへのアクセスを容易にする。水平な方向では、電力供給ステーション10は、ぺデスタルを供給する。これにより、ラップトップ装置Lの使用中に（図４を参照）、ラップトップ装置Lが誘導的に（inductively）電力を受け取ることができる。図示の通り、電力供給ステーション10は、標準的ラップトップ装置のサイズに近づき、容易なポータビリティ、追加的ラップトップ保護、容易な充電、家庭ベースから離れて人間工学的な改善を提供することができる。リクラインの位置では、電力供給ステーション10は表示高さを改善し、タイプ面を高める。電力供給ステーション10の内部から（縦位置）又は外部（傾斜した位置）から電力移送を行うように１次コイルが構成される。
【００４８】
電力供給ステーション10は、一般的にクレードル12と電力供給装置14を有している（図5-8を参照）。実施例において、電力供給装置14はクレードル12内のハウジング20に収容されている。ハウジング20は、一般的には、十分な大きさの長方形ボックスであって電力供給回路（図示しない）を有することができる。電力供給装置14は従来のAC電力プラグ（図示しない）とコード17（図7参照）を有し、従来のAC電力コンセントから電力を受け取ることができる。電力供給装置14は、入力電力を変換する回路を有しており、それは１又は複数の１次側（inductive primaries；例えば、１次コイル）に対するアプリケーションに適合している。前記に詳述したように、電力供給ステーションにおける電力供給回路及び電力供給を受けた装置は、如何なるインダクティブ電力供給回路であってもよいが、前記説明した実施例においては、eCoupled （登録商標）のインダクティブ電力供給回路（Fulton Innovations of Ada, Michiganから利用可能である）である。
【００４９】
クレードル12は、一般的に、ブリッジ18で相互接続されている１対の空間を持つ壁16a-ｂを有するＪ形状を持つ。壁16a、壁16ｂは所定距離、離間しており、ラップトップ装置Lまたは遠隔装置Dを密接して受け入れることができる。図に示すとおり、壁16-aは実質的にラップトップLと居損するように延在するように構成される。しかし、壁16-aの形状、大きさ、構成はアプリケーション毎に異なることができる。壁16aは、ポジティブな形状を有し、クレードル12内のラップトップLの位置をみつけることができる。壁16aは１又は複数の１次側を含み、誘導場を生成することができる。この誘導場は、ラップトップ又は他の遠隔装置Dに組み込まれている１又は複数の２次側（secondaries）により妨害されることがある。１次側は、壁16ａの面内に埋め込まれ又は表面に堆積される1次コイルであることができる。１次側の数、大きさ、形状、構成はアプリケーション毎に異なる。通常、１次側はラップトップ装置における２次側又はクレードル12と共に使用される他の電子装置と整列構成される。図の実施例においては、壁16ｂは、縦位置でラップトップＬを保持するためのキャッチとして、また、傾斜した位置でクレードル12をサポートするための台（rest）として機能する。壁16ｂの数、大きさ、形状、構成は、所望に応じて、アプリケーション毎に異なる。クレードル12の壁16ｂには含まれていないが、１又は複数の１次側は、望むに応じ、壁16ｂに組み込むことができる。
【００５０】
図７に示されているように、クレードル12はスイベルフット（swiveling feet）60を有することができる。これはスイベル（回し継手）を有して、クレードル12をアップライト位置に保持する、又は、スイベルして、クレードル16がリクライン位置であるときにスイベルフットが抜け出るようにする。
【００５１】
上記の通り、電力供給ステーション10は３相誘導電力技術を組み入れている。図8乃至10は、３相誘導電力システムで使用するのに適した複数の選択的１次コイル配列を示している。図示されているように、壁16aは３つの大きいほぼ中心に位置したコイルを有しており、３相誘導電力をラップトップパソコンＬに供給し、また、複数のより小さい３コイルセットを有して３相誘導電力を複数の他の電子装置Ｄ（例えば、ハンドヘルド電子装置）に供給する。１の実施例において、コイル32と34は誘導性電磁場を生成し、壁16ａの両側に位置する電子装置に電力を供給する。この実施例では、壁16aは、コイル32と34により生成される誘導性電磁場との干渉を最小にする材料から形成されている。
もしラップトップ装置Ｌが上下方向で電力を得ようと望むならば、１次コイル32は壁16ａの中心線に沿って横並びに整列させることができる。もしラップトップ装置Ｌが単一方向で電力を得ようと望むならば、コイル32は中心線の上、又は下にすることができる。図９の複数の実施例は、可能な３相コイル結合（この結合は電力を供給される装置の方向に依存して使用される）を示す異なる(複数)破線を示している。図１０は、特に、ポータブル電子装置Ｄ1、Ｄ2のクレードル12(特定のコイルは位置を持つ)の中の配置を示している。コイル位置を変えてもよい。その場合、装置Ｄ1、Ｄ2の位置も変わる。
【００５２】
図１１．１２を参照すると、電力供給ステーション10は、ラップトップバッグＢ内部に配置してもよい。電力供給ステーション10は、ラップトップバッグＢの中に固定してもよいし、取り出し可能にしてもよい。図示の通り、ラップトップ装置Ｌはクレードル12に入れてもよい。また、装置Ｄ1、Ｄ2は、コイルの組34に隣接する前記バッグＢのポケットＰに置いてもよい。この構成によれば、ラップトップＬ及び少なくとも２つの遠隔装置Ｄ1，Ｄ2が前記バッグＢのなかで電力供給を受けることができる。本発明のこの態様により、ユーザはラップトップＬとハンドヘルド装置Ｄ1、Ｄ2が前記バッグＢにある間、ラップトップＬとハンドヘルド装置Ｄ1、Ｄ2を充電することができる。これは"opportunity charging"を可能にする。つまり、従来の充電の機会があれば、ユーザは電力供給ステーション10にプラグを差し込むことができる。ラップトップバッグＢ内におけるクレードル12の図を図12に示す。１又は複数のcentering/locating磁石が装置Ｄ1に組み込まれている。壁16aは、コイル組34と適正に整列するように、装置D1をひきつける。
【００５３】
電力供給ステーション10は、(複数)個別的装置充電クレードルを有することができる。複数の別の遠隔充電クレードル92、92’が図13に示されている。クレードルは、例えばクレードル92のように、１対のハンドヘルド装置を受け入れるような大きさである。又は、クレードル92′のように、単一装置を受け入れる大きさにすることができる。装置充電クレードルの大きさ、形状、構成はアプリケーション毎に変えることができる。図示するように、ハンドヘルドクレードル92はアップライト又はリクライン位置で使用することができる。図１４は、単一相誘導性ソルーション用の一つの可能なコイル位置、及び、３相誘導性ソルーション用の一つの可能なコイル位置、を示す。図に示されているように、沿うちD1とD2における２次側37（又は複数２次側37ａ-ｃ）を適正に配置して、種々の大きさの装置をクレードル92′と共に使用することができる。
【００５４】
ハンドヘルドクレードルは、本質的に、電力供給回路（図示しない）及び電力線（図示しない）を持つ電力供給ステーション10を縮小したスタンドアロンバージョンであってよい。代替例として、ハンドヘルドクレードルはラップトップクレードル12から電力供給を受けるように構成することができる。図１５に示されているように、ハンドヘルドクレードル92′は、種々のやり方で、電力をラップトップクレードル12から電力を受け取ることができる。例えば、ラップトップクレードル12は、コード94を通して、ＡＣ120Ｖを１又は複数のハンドヘルドクレードル92′に供給することができる。この実施例において、ハンドヘルドクレードル92′は、誘導性伝送のための入力電力変換回路（図示しない）を有している。別の実施例として、ラップトップ クレードル12の電力供給回路は電力を変換し、ハンドヘルドクレードル92′内に含まれる１次側コイル（図示しない）に直接電力を供給する。この別の例は、ハンドヘルド クレードル92′における分離された電力供給回路を必要としない。代替例として、電力をハンドヘルド クレードル92′にワイヤレスで送ることができる。例えば、ラップトップクレードル12とハンドヘルド クレードル92は１対の誘導性コイル96,98を有し、電力をラップトップ クレードル92からハンドヘルド クレードル92に送ることができる。更に抱いた異例として、ハンドヘルドクレードル92は内部回路を持たなくてもよい。その代わりに、ラップトップ クレードル12における１次コイル99に十分近接した領域におけるハンドヘルド装置の位置決めを行うように機能することができる。
【００５５】
図16には種々の別の電力供給ステーションが示されている。各ステーションについて、以下に詳述する。図16には、高さ調整可能なデスクトップ台202、種々のデスクトップパネル240,250、フレキシブル マット272及びパワーブリック（power brick）280に組み込まれる電力供給ステーションが示されている。
【００５６】
図17を参照すると、電力供給ステーション200は、高さ調整可能なデスクトップ台202に組み込まれている。該台202は、トップ204と支持脚206を有することができる。該トップ204はロケータ スロットを有しており、本質的に、どのようなポータブルコンピュータ（ＵＭＰＣｓからマルチメディアラップトップまで）をも収容できるような大きさにすることができる。１又は複数の１次側（図示しない）はトップ204内に据付けたり、埋め込んだりしてもよい。電力供給回路（図示しない）はトップ204に組み込まれることができる。別の例として、電力供給回路は、台202から遠隔の位置に置かれる電力供給ブリック（図示しない）に配置することができる。例えば、電力供給ブリックを、台202と壁プラグ（図示しない）との間でコード208に沿って配置することができる。前記台の大きさ、形状、構成はアプリケーション毎に変えることができる。例えば、該台の大きさ、形状はラップトップの形状に対応するように変えることができる。別の例として、前記台はハンドヘルド装置を収納するように延ばすことができる。
【００５７】
図18-21に示されているように、別の実施例として、電力供給ステーション240はデスクトップパネル242に組み込むことができる。１の実施例において、パネル242はデスクトップ上に取外し可能に配置することができる。又はデスクトップと一体化することができる。デスクトップパネル242は、ラップトップＬを収容できるように大きさを変えることができる（図19の242‘を参照）。又はデスクトップパネルはラップトップおよび複数のハンドヘルド装置Ｄ3及びＤ4を収容できるほど大きい（図18の242参照）。１又は複数のコイル（図示しない）がパネル242に組み込まれる可能性がある。前記１次コイル（図示しない）はパネル表面に設けられ殳はパネル242内に埋め込まれる。
たとえば、パネル242に積層構造を持たせることができ、複数の１次コイルを積層間に設けることができる。１次コイルの数、サイズ、位置、配置は、アプリケーション毎に異なる。本質的に他の全ての実施例と同様に、ロケータ機能をパネル242に組込み、パネル242の(複数)１次コイルと(複数)電子装置における（複数）第２コイルとの間の整列を容易にすることができる。たとえば、パネル242と電子デバイスは、パネル242上で適切なアライメントにするようにラップトップLとデバイスD3、D4とを引き付けるようにするために、磁石（図示しない）を持つことできる。
別の例として、ラップトップL及び/又は装置D3、D4との適正な位置関係を示すようにするために、パネル242の周りに輪郭を付ける、又は、グラフィックを含むことができる。電力供給回路（図示せず）は、パネル242から遠隔に配置することができる。例えば、パネル242と壁のプラグ（図示せず）の間のコード244に沿って配置されたブリックに。パネル242は、システム状態を視覚的に表示するインジケータライト246a-cをもつことができる。
電子装置が誘導的に（inductively）電力供給ステーション240に結合されているか否かに基づいて、(複数)ライト246a−cがオン、オフすることができる。別の例として、カップリングの質が改善する従って、(複数)ライトが246a-cが明るくなる、又は、変化することができる。たとえば、電子装置が一次コイルとより良い整列をするに従って、光は赤から緑に黄色に切り替わることができる。
【００５８】
図２０、２１には、別のパネルの実施例が示されている。この実施例において、デスクトップパネル250は、ラップトップＬと、１つ又は複数の追加のハンドヘルド装置D4を収容できる程度に大きい。この実施例では、パネル250はテーブルトップＴに直接組み込まれており、簡単に取り外しすることはできない（さもなければ、それはテーブルトップＴから分離する、又は取り外すことができる）。パネル250は、中央ラップトップ領域252と周辺アクセサリー領域254を持つことができる。ラップトップ領域252は、複数の１次コイル256a-c（ラップトップ領域252におけるラップトップ配置オプションを提供する）をもつことができる。また、多相誘導結合を可能にするように複数のコイルを提供することができる。周辺領域254は、１又は複数の１次コイル256ｄを含むことができる。これにより、追加の電子装置（例えばハンドヘルド装置）に対し、１又は複数のワイヤレス電力領域を提供することができる。
パネル250は表示ライトを有し、ラップトップ及び/またハンドヘルド装置が適正に結合されているときに視覚的表示を行うことができる。図示の実施例では、パネル250は、ラップトップ及びハンドヘルド装置のための表示ランプ258a−bを有している。なお、ライトは258a-bはテーブルトップＴに組み込まれている。必要に応じて、複数のパネル250は、テーブルトップＴに組み込まれることができる。
【００５９】
図２２、２３には、電力供給ステーション270がフレキシブルな電源マット272に組み込まれている別の実施例が示されている。この実施例では、電力供給ステーション270は、一般的にフレキシブルマット272（図２２のラップトップＬの下に隠されている）と剛性の電力供給回路ハウジング274を有している。該マット272はラップトップＬ（巻き戻された時）と同一広がりを持ち、１又は複数のフレキシブルな１次コイル（図示しない）（フレキシブル基板材料に一体化される又はマウントされる）を有することができる。１次コイルの大きさ、形状、配置は、アプリケーション毎に異なってもよい。一次コイル又は(複数)コイルは、フレキシブル基板材料上に印刷されることができる。電力供給回路（図示しない）は電力供給回路ハウジング274に組み込むことができる。電力供給回路ハウジング274は、マット272と壁プラグ（図示しない）の間のコード276に沿って配置してもよい。図に示されるように、電力供給回路ハウジング274は、美的な円筒形状を持つことができる。美的な形状を提供することに加えて、マット272はストレージのための円筒状ハウジング274の周りに巻くこともできる。
【００６０】
図２４-２６には、もう１つの電力供給ステーション280は示されている。この実施例では、電力供給ステーション280は、ワイヤレス電力を供給するために（図２４参照）、ラップトップＬ又は他の電子装置機器に隣接して配置される単一電源ブロック280を有している。
１つの実施例では、電源ブロック280は電力供給回路（図示しない）及び１又は複数の１次コイル（図示しない）が有している。使用時には、電源ブロック280は、誘導接続（inductive connection）するために、ラップトップ又は他の電子装置の上で２次コイル（図示しない）に隣接する位置に設けても良い（図25,26を参照）図示の実施例において、電力ブロック280とラップトップＬは、２次コイル（図示せず）と最適な配置に電源ブロック280を引き付けるために、位置決め（locating）磁石282を有している。ラップトップＬと電源ブロック280は、電源ブロック280の適正な位置を決めるために、マッチンググラフィックス283を使ってプリントしても良い。パワーブロック280には表示ライト284があり、受け入れ可能な誘導性カップリングが成立したときに、視覚表示を行うことができる（図２６参照）。
【００６１】
本発明は、バックパック300、メッセンジャーバッグ302、ブリーフケース304等のバッグと一体化することができる。種々の別の実施例が図２７、２８に示されている。図に示されているように、バッグ（luggage）の各アイテムは、ポケット及び一連のポケットに隣接して、又は１又は複数の電子装置を配置するのに適合する仕切り室（compartment）に隣接して、１次コイル306を有することができる。たとえば、１次コイル306は、バッグのアイテムに縫い込むことができる。電力供給回路（図示しない）は、バッグにとって便利な場所に収容される。電気コード307は、電力供給ステーションを標準壁電源に接続するために提供される。コード307は格納可能であってよい。たとえば、コード307は、従来型巻き取りリールに取り付けることができる。
【００６２】
１実施例において、電力供給ステーション320は、フレキシブルマット324に設けられる一次コイル322を有することができる（図２８参照）。フレキシブルマット324は、電子装置D5、D6のキャリングケースになるように折り畳むことができるように構成される。この実施例では、該マット324、完全なハンドル（integral handles）326とサイドギャザー328を有しており、該マット328を所望の形状にすることができる。
【００６３】
他の実施例において、電力供給ステーション330はリムーバブルキャリングケースパネル332と一体化される（図28参照）。図示の実施例において、パネル332はキャリングケース334に取り付けられるリムーバブルなもの（例えば、ジッパー336）であることができる。パネル332は複数のポケット338及び１の１次コイル340を持つことができる。電力供給回路（図示しない）は、取り外し可能なパネル332の上のポケットの中に設けることができる。又は、パネル332と壁プラグ343の間のコード342に沿って位置するブリック内（図示せず）に収容されてもよい。
【００６４】
複数の追加的代替実施例が図２９に示される。図２９には、アップライト及びリクライニング位置で使用されるラップトップクレードル12'を持つ別の電力供給ステーション10'が示されている。電力供給ステーション10'は、アップライト位置で、壁にラップトップクレードル12'を取り付けるための、壁用ブラケット13′を有することができる。
【００６５】
図２９には、別の電源供給ステーション400が示されている。該ステーションは、ベース404を持つ台402と調整可能な支持面406を有する。支持面406は、ヒンジ408によりベース404と結合されている。図に示すように、支持面406は、所望の位置にラップトップＬを保持するように上下することができる。１又は複数の１次コイル（図示せず）は、支持面404に取り付けられる又は埋め込まれることができる。電力供給回路（図示せず）がベース404に又は、電源供給ステーション400のための電源コード（図示しない）に沿って配置されたブリック(図示せず)に組み込まれることができる。
【００６６】
最後に、図 29には、電源供給ステーション10“の実施例が示されている。この実施例には、クレードル12"の短い壁16b"が角度を持ち、リクライニング位置での利用を促進するように構成されている。クレードル12”がリクラインした位置にあるときに、角度をもつ壁16b”は、水平面に沿って横たわるように方向付けられる。
【００６７】
上記説明は、本発明の現実施例についての説明である。種々の変形が、特許請求の範囲に規定された本発明の要旨から逸脱することなく行うことができる。これらは、均等論を含む特許法の原則に基づいて解釈されるものである。
特許請求の範囲の構成要素への参照において、例えば、“１の”“所定の”又は“前記の”のような単数が記載されていたとしても、単数に限定して解釈されるべきではない。
【図１】
2011501938.tif 000003
【図２】
2011501938.tif 000004
【図３】
2011501938.tif 000005
【図４】
2011501938.tif 000006
【図５】
2011501938.tif 000007
【図６】
2011501938.tif 000008
【図７】
2011501938.tif 000009
【図８】
2011501938.tif 000010
【図９】
2011501938.tif 000011
【図１０】
2011501938.tif 000012
【図１１】
2011501938.tif 000013
【図１２】
2011501938.tif 000014
【図１３】
2011501938.tif 000015
【図１４】
2011501938.tif 000016
【図１５】
2011501938.tif 000017
【図１６】
2011501938.tif 000018
【図１７】
2011501938.tif 000019
【図１８】
2011501938.tif 000020
【図１９】
2011501938.tif 000021
【図２０】
2011501938.tif 000022
【図２１】
2011501938.tif 000023
【図２２】
2011501938.tif 000024
【図２３】
2011501938.tif 000025
【図２４】
2011501938.tif 000026
【図２５】
2011501938.tif 000027
【図２６】
2011501938.tif 000028
【図２７】
2011501938.tif 000029
【図２８】
2011501938.tif 000030
【図２９】
2011501938.tif 000031
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
取り外し可能な遠隔装置に電力を誘導結合で送るための１のワイヤレス電力供給システムであって、
電磁界を生成するための１の誘導性電力供給装置と；
第１電力移送面の上で前記遠隔装置を第１の方向に支持するための第１位置、及び、第２電力移送面の上で前記遠隔装置を第２の方向に支持するための第２位置との間で移動できる１のクレードル（前記電力移送面の各々は前記電磁界において前記遠隔装置を支持するものである）と、
前記クレードルの上又は内部に配置された１の１次側（該１次側は前記誘導性電力供給装置に動作可能に接続され、前記電磁界を生成し、前記第１の方向又は前記第２の方向に配置されたときに、前記１次側は前記遠隔装置と誘導結合するように配置されている）；
と有するワイヤレス電力供給システム。
【請求項２】
前記クレードルは一般的にＪの形状である請求項１に記載のワイヤレス電力供給システム。
【請求項３】
前記クレードルは遠隔装置を受け入れる十分な幅を持つチャネルを規定する請求項２に記載のワイヤレス電力供給システム。
【請求項４】
前記チャネルは遠隔装置の幅に対応し、前記遠隔装置は前記チャネル内に密接して受け入れられる請求項３に記載のワイヤレス電力供給システム。
【請求項５】
前記クレードルは、前記チャネル内に配置される誘導性電力供給装置を有する請求項３に記載のワイヤレス電力供給システム。
【請求項６】
前記クレードルは第１の壁と第２の壁（前記第１の壁から離間している）を有し、前記第１の壁は実質的に前記第２の壁より長く、前記１次側は前記第１壁の中又は上に配置される請求項２のワイヤレス電力供給システム。
【請求項７】
前記第１の電力移送面は、前記クレードルが前記第１の方向にあるときに、遠隔装置を実質的にリクラインした位置で支持し
前記第２の電力移送面は前記クレードルが前記第２の方向にあるときに、遠隔装置を実質的にアップライトの位置で支持する、
請求項１に記載のワイヤレス電力供給システム。
【請求項８】
前記クレードルは移動可能な脚を持つ請求項７に記載のワイヤレス電力供給システム。
但し、前記脚は、前記クレードルを前記アップライト位置で支持する一つの開いた位置と、前記クレードルを前記リクラインの位置で支持する一つの閉じた位置との間で移動可能である。
【請求項９】
前記チャネルが、第１遠隔装置を受け入れる第１領域を定義し、第２遠隔装置を受け入れる第２領域を定義するように十分な長さを持ち、前記クレードルは、前記第１領域に隣接して配置される第１の１次側を持ち、第１電磁場を生成し、前記第１遠隔装置に電力を供給し、また、前記クレードルは前記第２領域に隣接して配置される２次側を持ち、第２電磁場を生成し、前記第２遠隔装置に電力を供給する、請求項３に記載のワイヤレス電力供給システム。
【請求項１０】
前記システムは複数のクレードルを有し、前記各クレードルは、電磁場を生成する少なくとも１の１次側を持ち、前記クレードルに配置される伝各装置に電力を送り、前記クレードルの少なくとも１は、前記別のクレードルから電力を受け取る請求項１のワイヤレス電力供給システム。
【請求項１１】
請求項１に記載のワイヤレス電力供給システムであって、
前記ワイヤレス電力供給システムは、更に、第２番目の１次側を有し、
前記第１の１次側とは異なる位置のクレードルの上に、又は、の中に配置され、
前記第２の１次側は前記誘導性電力供給装置に動作可能に接続され、第２電磁界を生成する、ワイヤレス電力供給システム。
但し、前記第１の１次側と前記第２番目の１次側は、前記システムに対し、一つの遠隔装置より多くの装置に電力を供給し、複数の遠隔装置の配置に自由度を与えることができる。
【請求項１２】
１又は複数の取り外し可能な遠隔装置に電力を誘導結合で送るためのワイヤレス電力供給システムであって、
１の電磁界を生成する誘導性電力供給装置と；
第１電力移送面の上で前記遠隔装置を第１の方向に支持するための第１位置、及び、第２電力移送面の上で前記遠隔装置を第２の方向に支持するための第２位置との間で移動できる１のクレードル（前記電力移送面の各々は前記電磁界において前記遠隔装置を支持するものである）と、
前記クレードルの上又は内部に配置された複数の１次側（該複数の１次側は前記誘導性電力供給装置に動作可能に接続され、前記電磁界を生成し、前記第１の方向又は前記第２の方向に配置されたときに、前記複数の１次側は集合的に前記多相電磁場を生成するよう、前記遠隔装置と誘導結合するように配置されている）；
と有するワイヤレス電力供給システム。
【請求項１３】
前記複数の１次側は１つの軸のまわりに対照的に配置され、前記遠隔装置は少なくとも２つの異なる方向において、前記１次側と誘導的に接合する請求項１２に記載のワイヤレス電力供給システム。
【請求項１４】
１の遠隔装置に電力を誘導結合で送るためのワイヤレス電力供給システムであって、
１の誘導性電力供給装置を収容するハウジングと（但し、前記ハウジングは円筒形状である）；
１の電磁場を生成するための１次側と（但し；前記１の電磁場は前記誘導性電力供給装置と動作可能に接続されている）；
１の遠隔装置が取り外し可能に配置される１の電力輸送マットと（但し、前記１次側は前記基板の上、又は、の中に配置され、フレキシブルであって、前記電力輸送装置は使用されないとき、巻き取り、覆い包むことができる）、
を有するワイヤレス電力供給システム。
【請求項１５】
請求項１４に記載のワイヤレス電力供給システムであって、
更に電気プラグを有するハウジングを有するワイヤレス電力供給システム。
但し、前記ハウジングは分離されて、前記プラグに電気的に接続され、前記剛性のハウジングは前記電気的プラグと前記誘導性１次側との間で電気的に接続されている。
【請求項１６】
１の遠隔装置を運び、電力を供給するためのバッグであって、
前記遠隔装置を受け入れるような形状を持つ仕切り室を含むバッグのアイテムと（前記バッグのアイテムは、前記装置が配置されるマットに開口されるように構成されている）；
バッグの内部に収容された１の誘導性電力供給装置と（前記誘導性電力供給装置は電力線を有し、前記電力線はバッグのアイテムから延びている）；
バックのアイテム内部において前記仕切り室の隣の位置に配置される１次側（前記誘導電力供給装置に動作可能に接続されて、前記誘導性電力供給装置から受け取る電力に応じて電磁場を生成する）；
を有するバッグ。
【請求項１７】
前記電力コードは巻き取り可能なコードとして規定されている請求項１６に記載のバッグのアイテム。
【請求項１８】
複数の仕切り室を有する請求項１６に記載のバッグアイテム。
但し、前記１次側は前記複数の仕切り室に沿って延び、十分な大きさの電磁場を生成し、前記いずれの（複数）仕切り室に配置される(複数)遠隔装置に電力を供給する。
【請求項１９】
複数の仕切り室を有する請求項１６に記載のバッグアイテム。
但し、前記複数の１次側は前記（複数）仕切り室の１と唯一の組を作り、前記（複数）仕切り室の各々は電磁場を生成し、前記組になった仕切り室の中に配置される１の遠隔装置に電力を供給する。
【請求項２０】
更に、フレキシブルマットからキャリングケースにバッグのアイテムの構成を変える複数の完全ハンドルを有する請求項１６に記載のバッグアイテム。
【手続補正書】
【提出日】平成22年10月26日(2010.10.26)
【手続補正１】
【補正対象書類名】明細書
【補正対象項目名】００５４
【補正方法】変更
【補正の内容】
【００５４】
ハンドヘルドクレードルは、本質的に、電力供給回路（図示しない）及び電力線（図示しない）を持つ電力供給ステーション10を縮小したスタンドアロンバージョンであってよい。代替例として、ハンドヘルドクレードルはラップトップクレードル12から電力供給を受けるように構成することができる。図１５に示されているように、ハンドヘルドクレードル92′は、種々のやり方で、電力をラップトップクレードル12から電力を受け取ることができる。例えば、ラップトップクレードル12は、コード94を通して、ＡＣ120Ｖを１又は複数のハンドヘルドクレードル92′に供給することができる。この実施例において、ハンドヘルドクレードル92′は、誘導性伝送のための入力電力変換回路（図示しない）を有している。別の実施例として、ラップトップ クレードル12の電力供給回路は電力を変換し、ハンドヘルドクレードル92′内に含まれる１次側コイル（図示しない）に直接電力を供給する。この別の例は、ハンドヘルド クレードル92′における分離された電力供給回路を必要としない。代替例として、電力をハンドヘルド クレードル92′にワイヤレスで送ることができる。例えば、ラップトップクレードル12とハンドヘルド クレードル92は１対の誘導性コイル96,98を有し、電力をラップトップ クレードル12からハンドヘルド クレードル92に送ることができる。更に抱いた異例として、ハンドヘルドクレードル92は内部回路を持たなくてもよい。その代わりに、ラップトップ クレードル12における１次コイル99に十分近接した領域におけるハンドヘルド装置の位置決めを行うように機能することができる。
【手続補正２】
【補正対象書類名】明細書
【補正対象項目名】００６５
【補正方法】変更
【補正の内容】
【００６５】
図２９には、別の電源供給ステーション400が示されている。該ステーションは、ベース404を持つ台402と調整可能な支持面406を有する。支持面406は、ヒンジ408によりベース404と結合されている。図に示すように、支持面406は、所望の位置にラップトップＬを保持するように上下することができる。１又は複数の１次コイル（図示せず）は、支持面406に取り付けられる又は埋め込まれることができる。電力供給回路（図示せず）がベース404に又は、電源供給ステーション400のための電源コード（図示しない）に沿って配置されたブリック(図示せず)に組み込まれることができる。
【手続補正３】
【補正対象書類名】特許請求の範囲
【補正対象項目名】全文
【補正方法】変更
【補正の内容】
【特許請求の範囲】
【請求項１】
取り外し可能な遠隔装置に電力を誘導結合で送るための１のワイヤレス電力供給システムであって、
電磁界を生成するための１の誘導性電力供給装置と；
第１電力移送面の上で前記遠隔装置を第１の方向に支持するための第１位置、及び、第２電力移送面の上で前記遠隔装置を第２の方向に支持するための第２位置との間で移動可能な１のクレードル（前記電力移送面の各々は前記電磁界において前記遠隔装置を支持するものである）と、
前記クレードルの上又は内部に配置された１の１次側（該１次側は前記誘導性電力供給装置に動作可能に接続され、前記電磁界を生成し、前記第１の方向又は前記第２の方向に配置されたときに、前記１次側は前記遠隔装置と誘導結合するように配置されている）；
と有するワイヤレス電力供給システム。
【請求項２】
前記クレードルは一般的にＪの形状である請求項１に記載のワイヤレス電力供給システム。
【請求項３】
前記クレードルは遠隔装置を受け入れる十分な幅を持つチャネルを規定する請求項２に記載のワイヤレス電力供給システム。
【請求項４】
前記チャネルは遠隔装置の幅に対応し、前記遠隔装置は前記チャネル内に密接して受け入れられる請求項３に記載のワイヤレス電力供給システム。
【請求項５】
前記クレードルは、前記チャネル内に配置される誘導性電力供給装置を有する請求項３に記載のワイヤレス電力供給システム。
【請求項６】
前記クレードルは第１の壁と第２の壁（前記第１の壁から離間している）を有し、前記第１の壁は実質的に前記第２の壁より長く、前記１次側は前記第１壁の中又は上に配置される請求項２のワイヤレス電力供給システム。
【請求項７】
前記第１の電力移送面は、前記クレードルが前記第１の方向にあるときに、遠隔装置を実質的にリクラインした位置で支持し
前記第２の電力移送面は前記クレードルが前記第２の方向にあるときに、遠隔装置を実質的にアップライトの位置で支持する、
請求項１に記載のワイヤレス電力供給システム。
【請求項８】
前記クレードルは移動可能な脚を持つ請求項７に記載のワイヤレス電力供給システム。
但し、前記脚は、前記クレードルを前記アップライト位置で支持する一つの開いた位置と、前記クレードルを前記リクラインの位置で支持する一つの閉じた位置との間で移動可能である。
【請求項９】
前記チャネルが、第１遠隔装置を受け入れる第１領域を定義し、第２遠隔装置を受け入れる第２領域を定義するように十分な長さを持ち、前記クレードルは、前記第１領域に隣接して配置される第１の１次側を持ち、第１電磁場を生成し、前記第１遠隔装置に電力を供給し、また、前記クレードルは前記第２領域に隣接して配置される２次側を持ち、第２電磁場を生成し、前記第２遠隔装置に電力を供給する、請求項３に記載のワイヤレス電力供給システム。
【請求項１０】
前記システムは複数のクレードルを有し、前記各クレードルは、電磁場を生成する少なくとも１の１次側を持ち、前記クレードルに配置される遠隔装置に電力を送り、前記クレードルの少なくとも１は、前記別のクレードルから電力を受け取る請求項１のワイヤレス電力供給システム。
【請求項１１】
請求項１に記載のワイヤレス電力供給システムであって、
前記ワイヤレス電力供給システムは、更に、第２番目の１次側を有し、
前記第１の１次側とは異なる位置のクレードルの上に、又は、の中に配置され、
前記第２の１次側は前記誘導性電力供給装置に動作可能に接続され、第２電磁界を生成する、ワイヤレス電力供給システム。
但し、前記第１の１次側と前記第２番目の１次側は、前記システムに対し、一つの遠隔装置より多くの装置に電力を供給し、複数の遠隔装置の配置に自由度を与えることができる。
【請求項１２】
１又は複数の取り外し可能な遠隔装置に電力を誘導結合で送るためのワイヤレス電力供給システムであって、
１の多相電磁界を生成する誘導性電力供給装置と；
第１電力移送面上で前記遠隔装置を第１の方向に支持するための第１位置、及び、第２電力移送面上で前記遠隔装置を第２の方向に支持するための第２位置との間の１の移動可能なクレードル（前記電力移送面の各々は、前記多相電磁界において前記遠隔装置を支持するものである）と、
前記クレードルの上又は内部に配置された複数の１次側（該複数の１次側の各々は前記誘導性電力供給装置に動作可能に接続され、前記多相電磁界の１相を生成し、前記複数の１次側は集合的に前記多相電磁場を生成し、前記遠隔装置と誘導結合するように配置されている）；
と有するワイヤレス電力供給システム。
【請求項１３】
前記複数の１次側は１つの軸のまわりに対照的に配置され、前記遠隔装置は少なくとも２つの異なる方向において、前記１次側と誘導的に結合する請求項１２に記載のワイヤレス電力供給システム。
【請求項１４】
１の遠隔装置に電力を誘導結合で送るためのワイヤレス電力供給システムであって、
１の誘導性電力供給装置を収容する剛性のハウジングと（但し、前記ハウジングは円筒形状である）；
１の電磁場を生成するための１次側と（但し；前記１次側は前記誘導性電力供給装置と電気的に接続されている）；
１の遠隔装置が取り外し可能に配置される１の電力移送マットと（但し、前記電力移送マットはフレキシブル基板を有しており、前記１次側は前記基板の上、又は、前記基板の中に配置され、フレキシブルであって、前記電力移送マットは、使用されないとき、巻き取り、前記ハウジングの回りに包みこむことができる）、
を有するワイヤレス電力供給システム。
【請求項１５】
請求項１４に記載のワイヤレス電力供給システムであって、
更に、電気プラグを有するハウジングを有するワイヤレス電力供給システム。
但し、前記ハウジングは、前記プラグから分離され、電気的に接続されるものであって、前記剛性のハウジングは前記電気的プラグと前記誘導性１次側との間で電気的に接続されている。
【請求項１６】
１の遠隔装置を運搬し、電力を供給するためのバッグであって、
前記遠隔装置を受け入れるような形状を持つ仕切り室を含むバッグのアイテムと（前記バッグのアイテムは、前記装置が配置される一つのフレキシブルマットに開口されるように構成されている）；
バッグのアイテムの内部に収容された１の誘導性電力供給装置と（前記誘導性電力供給装置は電力線を有し、前記電力線はバッグのアイテムから延びることが可能である）；
バックのアイテム内部において前記仕切り室の隣の位置に配置される１次側（前記１次側は、前記誘導電力供給装置に動作可能に接続されて、前記誘導性電力供給装置から受け取る電力に応じて電磁場を生成する）；
を有するバッグ。
【請求項１７】
前記電力コードは巻き取り可能なコードとして規定されている請求項１６に記載のバッグ。
【請求項１８】
複数の仕切り室を有する請求項１６に記載のバッグ。
但し、前記１次側は前記複数の仕切り室に沿って延び、十分な大きさの電磁場を生成し、前記いずれの（複数）仕切り室に配置される(複数)遠隔装置に電力を供給する。
【請求項１９】
更に、複数の仕切り室と複数の１次側を有する請求項１６に記載のバッグ。
但し、前記複数の１次側の各々は前記（複数）仕切り室の１と唯一の組を作り、前記（複数）仕切り室の各々は電磁場を生成し、前記組になった仕切り室の中に配置される１の遠隔装置に電力を供給する。
【請求項２０】
更に、フレキシブルマットからバッグのアイテムにバッグの構成を変える複数の完全ハンドルを有する請求項１６に記載のバッグ。
【国際調査報告】
2011501938.tif 000032
2011501938.tif 000033
2011501938.tif 000034
2011501938.tif 000035
2011501938.tif 000036